(57)【特許請求の範囲】
【請求項１】
可撓性の平面発光素子と、該平面発光素子の発光面上の両側部に対置し、発光面部分からの光線を異なった方向に放射させる可撓性光線屈折手段と、から構成し、
前記対置された夫々の可撓性光線屈折手段が、透光性連結部材で連結されてなることを特徴とする面発光体。
【請求項２】
前記平面発光素子及び前記可撓性光線屈折手段を覆う可撓性且つ透光性カバーと、から構成したことを特徴とする請求項１に記載の面発光体。
【請求項３】
前記可撓性、且つ透光性カバーが、平面発光素子の下面を受ける一対の受片と、該平面発光素子の発光に寄与しない両先端部分を挿入して支持する一対の支持溝と、平面発光素子上に対置した一対のレンズ及び透光性連結部を保持する保持空間と、外方に突出した左右一対の取付片と、を備えたことを特徴とする請求項１または２に記載の面発光体。
【請求項４】
前記取付片が、前記カバーと一体的に該カバーの両側から突出して設けられ、突出された取付片を基材に縫着したことを特徴とする請求項３に記載の面発光体。
【請求項５】
前記可撓性光線屈折手段が、透光性チューブ又は透光性柱体から構成されていることを特徴とする請求項１乃至４のいずれかに記載の面発光体。
【請求項６】
前記可撓性光線屈折手段が、一対の断面略直角三角形状のレンズと該一対のレンズを連結する透光性連結部からなり、夫々のレンズの直角に交わった一辺を発光素子の側部の発光面に対置し、該直角に交わった他片を外方に位置させることを特徴とする請求項１乃至５のいずれかに記載の面発光体。
【請求項７】
請求項１から６の面発光体を、可撓性、且つ透光性カバーにて覆うと共に、該カバーを利用して面発光体をベルトの基材に取り付けたことを特徴とするペット用保持具。
【発明の詳細な説明】
【産業上の利用分野】
【０００１】
本発明は、面発光体及び面発光体を利用したペット用保持具（首輪、又は胴輪）に関し、特に発光面からの光線を屈折させて多方向から、その光線を認識できるようにした面発光体と、夜間のペット散歩時の安全性が確保できる発光機能を有するペット用保持具に関する。
【０００２】
【従来の技術】
面発光体は種々提案されている。特にエレクトロルミネッセンス（以下ＥＬと略称する）を利用した薄型面発光体は、立て看板、ポスターパネル等の広告媒体に広く利用されている。即ち、夜間にポスターパネル等の広告媒体が明るくなり、その前を通る歩行者等にその存在を教えるものであり、それなりに広告機能を発揮している。
【０００３】
然しながら、かかる面発光体はその発光面のみが明るくなるもので、その周囲を照らすものではない。従って、上記のような広告媒体の正面から見たときにはそれを認識できるが、この面発光体を安全機能を持たすような商品に利用した場合は、その安全機能が充分発揮出来ない。
【０００４】
例えば、特開平７−１２１１３０号公報や特開平８−４１７０６号公報には、面発光体を取り付けた作業者のチョッキやベスト等の衣服が提案されている。然しながら、この衣服を着用した作業者の前面、又は背面からは面発光体が認識できるが、作業者の横方向からでは、ほとんど面発光体を認識することができず、作業者にとっては安全性に問題がある。
【０００５】
更に、登録実用新案第３０１７８１０号公報では、夜間、犬等のペットを散歩に連れて行く際、ペットの存在を歩行者、自転車に乗っている人、及び自動車の運転手に認識してもらうために面発光体を取り付けたペットの首輪や胴輪が提案されている。然しながら、特にシープドックやコリー等ペットの体毛が長い場合、面発光体が体毛の中に埋もれてしまい、ペットの視認性に問題があった。
【０００６】
以上、面発光体は薄型であるため、取り扱いが優れている。しかし、発光面に対し略垂直方向に発光するために正面からの視認性はよいが、横方向からは面発光体を認識できない問題を持っている。
【０００７】
一方、ＥＬから成る面発光体の発光面全域にプリズムレンズシートを重ね合わせたものが、特開平９−７３９８３号公報、及び実開平５−９４９９４号公報等にて提案されている。
【０００８】
然しながら、前者では微細な凹凸レンズであるので、光線は多少広がりを見せるが、基本的には発光面に対して略垂直方向の放射であって、横方向への広がりは殆どない。従って横方向からの視認性はよくない。又、後者では輝度の向上が図れるが、光線の放射方向は前者と同様、略垂直方向の放射であって、横方向への放射はない。
【０００９】
【発明が解決しようとする課題】
従来技術は、上述したように種々の問題点を有しており、本発明はかかる問題点を解消すると共に、平面発光素子のメリットをそのまま維持した面発光体、及びこの面発光体を用いたペット用保持具（首輪又は胴輪）を誠意研究して開発したものである。
【００１０】
【課題を解決するための手段】
本発明面発光体の要旨とするところは、可撓性の平面発光素子と、該平面発光素子の側部の発光面に対置し、対置した発光面部分からの光線を異なった方向に放射する可撓性光線屈折手段とから、或いは該平面発光素子及び可撓性光線屈折手段を覆う可撓性且つ透光性カバーと、から構成したことにある。
【００１１】
従って、可撓性光線屈折手段が対置していない中央部分の発光面からの光線は、略垂直方向に放射され、又可撓性光線屈折手段を対置した発光面からの光線は、可撓性光線屈折手段により発光面と略平行方向に放射され、面発光体でありながら立体的な発光体としての視認性が向上する。
【００１２】
本発明ペット用保持具の要旨とするところは、可撓性の平面発光素子と、該平面発光素子の側部の発光面に夫々対置し、対置した発光面部分からの光線を異なった方向に放射する可撓性光線屈折手段からなる面発光体を、可撓性且つ透光性カバーにて覆ったことにある。
【００１３】
従って、発光面からの光線を垂直方向とそれ以外の方向に放射できるので、首輪等が長い体毛の中に埋もれたとしても、発光が認識でき、ペットの散歩時の安全性が損なわれることはない。
【００１４】
又、本発明の面発光体及びペット用保持具の要旨とするところは、可撓性光線屈折手段が一対設けられて平面発光素子の両側部の発光面に対置し、該一対の可撓性光線屈折手段が略透光性連結部材で連結されてなることにある。かかる構成によりレンズの取り付けが容易になる。
【００１５】
更に、平面発光素子と可撓性光線屈折手段とを可撓性且つ透光性カバーにて覆ったことにある。しかもこの可撓性且つ透光性カバーが、平面発光素子の側端を支持する支持部と、前記可撓性光線屈折手段を保持する保持部と、該カバーを基材に取り付ける取付片と、を備えたことにある。そのため可撓性且つ透光性カバーが、発光素子と可撓性光線屈折手段の保護と支持、及び発光体への基材への取り付けを行うことができる。
【００１６】
本発明の可撓性光線屈折手段が、透光性チューブ又は透光性柱体から構成したことにある。従って、透光性チューブ又は透光性柱体が対置された発光面からの光線がチューブを通って、或いは柱体内を通過して放射されるので、面発光体を横方向から見た場合でも面発光体及びペット用首輪等を認識できるものである。又前記可撓性光線屈折手段が、一対の断面略直角三角形のレンズと該一対のレンズを連結する透光性連結部からなり、夫々のレンズの直角に交わった一辺を発光素子の発光面の側部に対置し、その他片を外方に位置させることにある。
【００１７】
【発明の実施の形態】
以下、本発明面発光体としてペットの首輪に利用した一実施例を、図１から図４に基づき説明する。図１は首輪の平面図、図２は図１のＡ−Ａ線拡大断面図、図３は面発光体を構成するレンズとカバーの拡大断面図、図４はＥＬ発光素子の断面図とそれを制御する制御部との関係を示す該略図である。
【００１８】
本発明のペット用首輪１は、ベルトの基材２の表面に装着した帯状面発光体３と、該発光体３を制御する制御ボックス４とから構成されている。
前記基材２は、一端に止め金具５を装着し、他端に該止め金具５のピン５ａを挿入するための複数の孔５ｂを形成している。又、基材２の材質として、皮革、ビニール等の合成樹脂、ゴム、繊維製織布等を用い、これらを単独又は二種類以上を張り合わせて構成してある。
【００１９】
前記面発光体３は、可撓性の平面発光素子６と、該発光素子６の両側部の発光面に対置した透光性の一対の可撓性光線屈折手段７となるレンズＬと、該レンズＬと一体的に形成され且つ一対のレンズを連結する透光性連結部８と、前記発光素子６と一対のレンズＬを覆う可撓性且つ透光性カバー９と、から構成されている。そしてこの面発光体３は、止め金具５と止め金具のピン５ａを挿入する穴５ｂ部分を除いた基材２の表面の略全域に取り付けられている。
【００２０】
前記平面発光素子６は、ＥＬから構成されており、図４に示すように可視光を良く通すフィルム６１にＡｕ又はＡｇを蒸着した透明電極６２と、Ａｌ箔からなる背面電極６３と、両電極６２と６３の間に介装したＥＬ蛍光体を分散した発光層６４と、反射絶縁層６５と、からなり、全体を防湿フィルム６６でシールして１ｍｍ以下の厚みに構成している。
【００２１】
そして図２の平面発光素子６を格子状にハッチングした中央部分が図４に示す発光層６４に相当する部分であり、また図２の６７で示す両側縁が図４の発光層６４から突出したフィルム６１と背面電極６３の先端部分に相当する。
【００２２】
図４に示す平面発光素子６の両電極６２、６３に端子６８、６９が取り付けられ、この両電極６２，６３が制御ボックス４内に収められた電池１０、スイッチ１２及び交流に変換するインバータ１１を含む制御部と電気的に接続される。
【００２３】
即ち、上記制御ボックス４は、合成樹脂又は軽量合金からなる上体と下体とをネジ止め等して筐体状に構成してある。そしてその内部には単３、単４又はボタン等の電池１０と、約４００Ｈｚの１００Ｖで、且つ電流３０〜４０mmアンペアの交流電源に変換するインバータ回路１１と、スイッチ１２と、からなる制御部が装着されている。
【００２４】
上記スイッチ１２の操作ツマミ１２ａは、制御ボックス４の上面に設けられている。そしてこのツマミ１２ａを前に倒すと平面発光素子６が点灯し、後ろに倒すと点滅するようなシーソー式のスイッチ形式になっている。
【００２５】
前記レンズＬは、可撓性且つ透光性の塩化ビニール製で構成されている。断面を略直角三角形となし、その直角に交わった一片を平面発光素子６の発光面（図２の黒く塗りつぶした部分、図４の発光層６４に相当）の両側部に夫々対置し、他片を外方に位置させる。斜面の角度は４５°、又は３０°〜６０°が好ましいが特に限定しない。しかし３０°、４５°、６０°ならば製造時に汎用スケール等を用いた角度の検査がしやすい。又発光面に対置する底面は、発光面に密着するよう平面に形成される。
【００２６】
この一対のレンズＬは、該レンズと一体的に形成された薄膜状の透光性連結部８により連結されているので、中央部分の発光面はこの連結部８にて覆われることになる。
【００２７】
可撓性、且つ透光性カバー９は、レンズＬと同様に塩化ビニール製で一体的に作られている。その形状は図３（ロ）で示しているように、平面発光素子６の下面を受ける一対の受片９１と、該平面発光素子６の発光に寄与しない両先端部分６７を挿入して支持する一対の支持溝９２と、平面発光素子６上に対置した一対のレンズＬ及び透光性連結部８を保持する保持空間９３と、外方に突出した左右一対の取付片９４と、から構成されている。
【００２８】
従って、前記カバー９は平面発光素子６、及びレンズＬを所定位置に保持して面発光体３を構成するものである。そして取付片９４を首輪等の基材２にミシンによって縫着した縫着部３１により、面発光体３を首輪１に装着する。その後、平面発光素子６から引き出されたリード線を制御ボックス４内のインバータ回路１１に接続する。
【００２９】
次に本発明面発光体の使用状態を、ペットの首輪に基づいて説明する。先ず面発光体３を装着した首輪１をペットに取り付ける。その取り付けには、止め金具５のピン５ａと複数の孔５ｂを利用して行う。
【００３０】
そしてスイッチ１２の操作ツマミ１２ａを前方に倒してオンさせて、平面発光素子６を点灯させ、発光面からは赤色発光する。レンズＬが存在しない中央部分からは略垂直方向（図２では上方向）に放射される。
【００３１】
レンズＬが存在している両側部では、レンズに反射されて略水平方向（図２では左右方向）に屈折して放射される。又発光面からの光を受けて、カバー９全体も赤色に染まる。従って外部から見た場合、首輪全体が立体的に発光しているように認識され、体毛の長いペットで首輪がその体毛の中に埋もれている場合でも、首輪を認識できる。そのため暗闇でのペットの散歩時安全性が確保できるものである。
【００３２】
図５は、図２の変形例を示す図で、図２と異なる点は、カバー１３が平面発光素子１４の両側先端部１５を支持する部分を押圧片１６に変更したものである。一対の可撓性光線屈折手段１７、連結部１８、取付片１９、及び取付片１９の基材２０への縫着は、図２と同様である。一方この取付片１９の基材２０への取り付けは、縫着の代わりに、ハトメ、接着剤、溶着及びその他の固定手段でもよい。
【００３３】
図６から図８は、本発明面発光体の他の実施態様を示す図である。以下順に説明する。先ず図６の面発光体２１は、平面発光素子２２の両側部の発光面に可撓性光線屈折手段７と成る一対のチューブ２３を対置し、更に発光素子２２とチューブ２３と共にチューブ状外皮２４で覆ったものである。チューブ２３は接着剤を用いて発光素子２２に固定してある。チューブ２３及び外皮２４はいずれも塩化ビニールから成る可撓性且つ透光性又は半透光性から構成されている。
【００３４】
チューブ２３に対置している発光面からの光線は、チューブ２３を伝わり放射方向を変えて外方に放射される。そのため多方面から発光を認識できる。また図６の形態は面発光体を防湿性に構成することができる。
【００３５】
図７は、可撓性光線屈折手段７として、半円柱状レンズ２５を用いたものである。図７（イ）は、一対の半円柱状レンズ２５を平面発光素子２６の発光面の両側部に接着剤等にて固定したものである。
【００３６】
図７（ロ）は、図７（イ）に示す半円柱状レンズ２５を連結部２７にて一体的に連結したものである。この半円柱状レンズ２５と連結部２７は塩化ビニールにて可撓性且つ透光性に構成される。レンズ２５に導入された光は方向を異ならしめて放射される。
【００３７】
図８は、一対の円柱状レンズ２８を発光素子２９の両側部の醗酵面に対置し、その後、両者を可撓性且つ透光性熱収縮性樹脂のチューブ状外皮３０にて一体的に固着したものである。
【００３８】
上記可撓性光線屈折手段７、レンズＬ、及びカバーの材質として塩化ビニールを用いたが、それ以外の合成樹脂等、可撓性があり且つ光を透過する材料を用いる。
【００３９】
又、上記の実施例としてペットの首輪のみを説明したが、ペット用胴輪にこの面発光体を利用することができる。又、夜間の暗闇で仕事をする作業者用の安全チョッキ、ベスト及び安全ベルト等に利用できる。
【００４０】
以上、本発明を種々説明したが、本発明はその趣旨を逸脱しない範囲で当業者の知識に基づき、種々なる改良、修正、変形を加えた態様で実施できるものである。
【００４１】
【発明の効果】
本発明は以上の説明のように可撓性の平面発光素子と、該平面発光素子の側部の発光面に対置した可撓性光線屈折手段と、から構成したので、面発光体でありながら立体的な発光体としての視認性が向上する。また発光素子と可撓性光線屈折手段を可撓性カバーで覆ったので、両者の保護が同時に行われる。
【００４２】
又、本発明ペット用保持具は、可撓性の平面発光素子と、該平面発光素子の側部の発光面に夫々対置した可撓性光線屈折手段からなる面発光体を、可撓性且つ透光性カバーにて覆うと共に、該カバーを利用して面発光体を基材に取り付けたものである。
【００４３】
従って、発光面からの光線を垂直方向とそれ以外の方向に放射できるので、首輪等が長い体毛の中に埋もれたとしても、発光が認識でき、ペットの散歩時の安全性が損なわれることはない。又基材への取り付けも簡単にできる。
【００４４】
しかも、本発明は可撓性光線屈折手段を一対設け、該一対の可撓性光線屈折手段が略透光性連結部材で連結したので、可撓性光線屈折手段の取り付けが容易になる。
【００４５】
更に、平面発光素子と可撓性光線屈折手段とを可撓性且つ透光性カバーにて覆うと共に、この可撓性且つ透光性カバーが、平面発光素子の側端を支持する支持部と、前記可撓性光線屈折手段を保持する保持部と、該カバーを基材に取り付ける取付片と、を備えたものであるので、該カバーが発光素子、及び可撓性光線屈折手段の保護と支持、及び発光体の基材への取り付けを行うことができる。
【００４６】
前記可撓性光線屈折手段が、一対の断面略直角三角形のレンズと該一対のレンズを連結する透光性連結部からなり、夫々のレンズの直角に交わった一辺を発光素子の側部の発光面に対置し、その他片を外方に位置させたものであるので、直角に交わった二辺の寸法を適宜変更することにより、立体的発光の高さを面発光体を利用する商品に合わせて最適に選択でき、しかも製造もし易い等の効果を奏する。
【図面の簡単な説明】
【図１】本発明面発光体を取り付けたペット用首輪の上面図である。
【図２】図１のＡ−Ａ拡大断面図である。
【図３】図２の要部分解断面図である。
【図４】本発明に使用するエレクトロルミネッセンスの拡大断面と制御部との関係を示す該略図である。
【図５】図２の変形例を示す拡大断面図である。
【図６】本発明面発光体の他の実施態様を示す断面図である。
【図７】本発明面発光体の他の実施態様を示す断面図であり、（イ）は一対のレンズが独立した図、（ロ）は一対のレンズが連結部で一体的に連結された図である。
【図８】本発明面発光体の図６、図７と異なる実施態様を示す断面図である。
【符号の説明】
１    ；ペット用首輪
２、２０；基材
３    ；面発光体
４    ；制御ボックス
６、１４、２２、２６、２９；平面発光素子
７    ；可撓性光線屈折手段
Ｌ、２５、２８；レンズ
２３  ；チューブ
８、１８、２７；連結部
９、１３  ；カバー
１９、９４；取付片
９２    ；支持溝（支持部）
９３    ；保持空間（保持部）
３１    ；縫着部
【図１】
0004371537.tif 000002
【図２】
0004371537.tif 000003
【図３】
0004371537.tif 000004
【図４】
0004371537.tif 000005
【図５】
0004371537.tif 000006
【図６】
0004371537.tif 000007
【図７】
0004371537.tif 000008
【図８】
0004371537.tif 000009